(57)【特許請求の範囲】
【請求項１】
電柱上に取り付けられたピン碍子であって、外周に溝を有するピン碍子と、該ピン碍子の溝に部分的にはめ込まれるケーブルと、前記溝に引っ掛けられて該ケーブルに巻き回されることでケーブルをピン碍子に固定するバインド線とを覆うピン碍子カバーであって、ピン碍子の上部を覆うための第１のカバー部と、該第１のカバー部から延出した一対の第２のカバー部であって、延出方向に延びるスリットが形成され、ケーブル及びバインド線を覆うための第２のカバー部と、該第２のカバー部のスリットの両側に設けられた一対のガイド片であって、それぞれが第２のカバー部から径外方向に延出し、外方に向かうにつれて互いの間隔が広がるように設けられた一対のガイド片とを備え、第１のカバー部は、ピン碍子の上部外周を覆うための筒状部であって、第２のカバー部のスリットを延長した切欠きが形成された筒状部を含む本体と、溝に嵌合される凸部であって、筒状部の中心線を通る仮想基準面を境とした第１の領域にある筒状部の内面の一部から径内方向に向けて突設される凸部と、筒状部の中心線を通る仮想基準面を境とした第２の領域にある筒状部から外方に向けて延出する延出部とを有することを特徴とするピン碍子カバー。
【請求項２】
延出部は、第１のカバー部から下方に延出し、第１のカバー部の径外方向に折り曲げ可能に構成されることを特徴とする請求項１に記載のピン碍子カバー。
【発明の詳細な説明】
【技術分野】
【０００１】
本発明は、ピン碍子、該ピン碍子に支持されたケーブル、及びケーブルをピン碍子に固定するバインド線を覆うピン碍子カバーに関する。
【背景技術】
【０００２】
従来、架設されるケーブルを支持するピン碍子であって、ケーブルと柱上構造物との絶縁を図るピン碍子が知られている。この種のピン碍子は、腕金上に立設され、ケーブル支持する部位を絶縁材料で形成されている。そして、この種のピン碍子は、絶縁材料で形成された部位の外周に溝が設けられている。
【０００３】
ケーブルは、溝に部分的にはめ込まれた状態で、ピン碍子の溝に引っ掛けられたバインド線によって巻きつけられることで、ピン碍子に対して固定される。これにより、ケーブルは、ピン碍子の中心線と交差する方向に延びた状態でピン碍子に支持される。
【０００４】
このように、ケーブルがピン碍子に固定されることでケーブル及び柱上構造物の間の絶縁が図られるが、ケーブルの被覆の経年による劣化や、ケーブル及び柱上構造物への動物の接触等により、短絡事故や地絡事故が発生することがあった。
【０００５】
そこで、このような短絡事故や地絡事故を防止すべく、ピン碍子、ケーブル、及びバインド線を保護するピン碍子カバーが知られている（例えば、特許文献１参照）。
【０００６】
この種のピン碍子カバーは、ピン碍子の上部を覆うための第１のカバー部であって、ピン碍子の溝に嵌合する凸部を有する第１のカバー部と、ケーブル及びバインド線を覆うべく第１のカバー部から延出した第２のカバー部と、延出方向に延びるスリットと第２のカバー部から径外方向に延出し外方に向かうにつれて互いの間隔が広がるように設けられた一対のガイド片とを備えている。
【０００７】
この種のピン碍子カバーによれば、第２のカバー部でケーブル及びバインド線を覆い、第１のカバー部でピン碍子の上部を覆った上で、凸部を溝に嵌め合わせることで、ピン碍子、ケーブル、及びバインド線を保護している。この種のピン碍子カバーは、ピン碍子の上方からピン碍子、ケーブル、及びバインド線の位置に合わせて載せられる。そして、この種のピン碍子カバーは、第１のカバー部及び第２のカバー部をそれぞれピン碍子カバーの上方からピン碍子又はケーブルに向けて押し付けることで装着される。
【先行技術文献】
【特許文献】
【０００８】
【特許文献１】特開２００７−２２１９１８号公報
【発明の概要】
【発明が解決しようとする課題】
【０００９】
ところで、このような作業は、間接活線工法で行われるので、作業員は、間接活線工具を用いてピン碍子の下方から作業をすることになる。そのため、ピン碍子の上方からピン碍子に向けて作業する機会が増えると、間接活線工法での作業であるがゆえに作業効率が下がる。この種のピン碍子カバーでは、ピン碍子の上からピン碍子カバーを載せた上で、第２のカバー部にケーブルを内装する作業や、第１のカバー部をピン碍子の頭部に挿入する作業をピン碍子の上からピン碍子に向けて行う必要があった。
【００１０】
そこで、本発明は、かかる事情に鑑み、作業性の向上を図ったピン碍子カバーを提供することを課題とする。
【課題を解決するための手段】
【００１１】
本発明に係るピン碍子カバーは、電柱上に取り付けられたピン碍子であって、外周に溝を有するピン碍子と、該ピン碍子の溝に部分的にはめ込まれるケーブルと、前記溝に引っ掛けられて該ケーブルに巻き回されることでケーブルをピン碍子に固定するバインド線とを覆うピン碍子カバーであって、ピン碍子の上部を覆うための第１のカバー部と、該第１のカバー部から延出した一対の第２のカバー部であって、延出方向に延びるスリットが形成され、ケーブル及びバインド線を覆うための第２のカバー部と、該第２のカバー部のスリットの両側に設けられた一対のガイド片であって、それぞれが第２のカバー部から径外方向に延出し、外方に向かうにつれて互いの間隔が広がるように設けられた一対のガイド片とを備え、第１のカバー部は、ピン碍子の上部外周を覆うための筒状部であって、第２のカバー部のスリットを延長した切欠きが形成された筒状部を含む本体と、溝に嵌合される凸部であって、筒状部の中心線を通る仮想基準面を境とした第１の領域にある筒状部の内面の一部から径内方向に向けて突設される凸部と、筒状部の中心線を通る仮想基準面を境とした第２の領域にある筒状部から外方に向けて延出する延出部とを有する。
【００１２】
かかる構成によれば、ピン碍子カバーは、バインド線によりケーブルを固定したピン碍子の上に間接活線工具により載せられる。これにより、筒状部は、開口する一端側からピン碍子の外周を覆うようにピン碍子に嵌め合わされる。すると、筒状部の中心線を通る仮想基準面を境とした第１の領域の内面から突設された凸部がピン碍子の溝部に嵌り、一対のガイド片がケーブル及びバインド線を跨ぐようにして載る。そして、筒状部の中心線を通る仮想基準面を境とした第２の領域に形成される延出部が間接活線工具で把持されて下方に引っ張られることで、凸部は、ピン碍子の溝に嵌め合わされたままピン碍子の表面に対して摺動する。また、一対のガイド片は、ケーブル又はバインド線に対してそれぞれ摺動することで互いに離間し、スリットは、一対のガイド片の離間に応じて開く。そして、スリットがケーブルの直径に対してケーブルを通すのに十分に開くと、第２のカバー部は、ケーブル及びバインド線を内装するように移動して、ケーブル及びバインド線を覆う。第２のカバー部がケーブル及びバインド線を覆うと、本体は、ピン碍子の外周及び天面を覆う。これにより、ピン碍子カバーは、ピン碍子に載せられた後、延出部の引っ張りだけでピン碍子、ケーブル、及びバインド線を覆うことができるので、ピン碍子カバーをピン碍子、ケーブル、及びバインド線に装着する作業の作業性の向上を図ることができる。
【００１３】
また、本発明のピン碍子カバーの一態様として、延出部は、第１のカバー部から下方に延出し、第１のカバー部の径外方向に折り曲げ可能に構成されていてもよい。
【００１４】
かかる構成によれば、延出部が間接活線工具により把持されて引っ張られる際に、延出部は、第１のカバー部の径外方向に折り曲げられることで作業員の位置に先端を向けるように折り曲げられる。これにより、ピン碍子カバーは、延出部を把持した間接活線工具を単に引っ張るだけでピン碍子、ケーブル、及びバインド線を覆うことができるので、ピン碍子カバーをピン碍子、ケーブル、及びバインド線に装着する作業のさらなる作業性の向上を図ることができる。
【発明の効果】
【００１５】
以上の如く、本発明に係るピン碍子カバーによれば、作業性が向上するというすぐれた効果を奏する。
【図面の簡単な説明】
【００１６】
【図１】本発明の一実施形態に係るピン碍子カバーを示し、図１（ａ）は、同実施形態に係るピン碍子カバーの概略上面図、図１（ｂ）は、同実施形態に係るピン碍子カバーの概略正面図を示す。
【図２】同実施形態に係るピン碍子カバーの概略側面図を示す。
【図３】同実施形態に係るピン碍子にピン碍子カバーを載せた概略側面図を示す。
【図４】同実施形態に係る第２のカバー部をケーブルに取り付ける際の概略正面図を示す。
【図５】同実施形態に係る第２のカバー部に取り付けられるクリップを示し、図５（ａ）は、クリップの概略正面図、図５（ｂ）は、クリップの概略側面図を示す。
【発明を実施するための形態】
【００１７】
以下、本発明に係るピン碍子カバーにおける一実施形態について、図１〜図５を参照して説明する。
【００１８】
まず、本実施形態に係るピン碍子カバー１を説明する前に、ケーブルＥを支持するピン碍子Ａについて説明する。
【００１９】
図２及び図３に示すように、ピン碍子Ａは、架設されたケーブルＥを支持すべく、電柱上の腕金Ｂに立設される。ピン碍子Ａは、ケーブルＥに接触する部分を陶器等の絶縁材料で形成されており、支持するケーブルＥと腕金Ｂとの間の絶縁を確保可能に構成されている。このように腕金Ｂに立設されたピン碍子カバー１は、その外周に溝を有する。ケーブルＥは、ピン碍子カバー１の溝に部分的に嵌め込まれ、溝に引っ掛けられて巻き回しされるバインド線Ｄを用いてピン碍子Ａに固定される。これにより、ケーブルＥは、ピン碍子Ａの中心線と交差する方向に延びた状態でピン碍子Ａに支持される。本実施形態に係るピン碍子カバー１は、このようなピン碍子Ａ、ケーブルＥ、及びバインド線Ｄを覆うべくピン碍子Ａ、ケーブルＥ、及びバインド線Ｄに取り付けられる。
【００２０】
次に、本実施形態に係るピン碍子カバー１の構成について説明する。
【００２１】
図１（ａ）、図１（ｂ）、及び図２に示すように、本実施形態に係るピン碍子カバー１に関し、電柱上に取り付けられたピン碍子Ａであって、外周に溝を有するピン碍子Ａと、該ピン碍子Ａの溝に部分的に嵌め込まれるケーブルＥと、上記溝に引っ掛けられて該ケーブルＥに巻き回されることでケーブルＥをピン碍子Ａに固定するバインド線Ｄとを覆うピン碍子カバー１であって、ピン碍子Ａの上部を覆うための第１のカバー部１０と、該第１のカバー部１０から延出した一対の第２のカバー部２０であって、延出方向に延びるスリット２１が形成され、ケーブルＥ及びバインド線Ｄを覆うための第２のカバー部２０と、該第２のカバー部２０のスリット２１の両側に設けられた一対のガイド片３０であって、それぞれが第２のカバー部２０から径外方向に延出し、外方に向かうにつれて互いの間隔が広がるように設けられた一対のガイド片３０とを備える。ピン碍子カバー１は、全体を絶縁材料で形成されることで、ケーブルＥの絶縁を確保可能になっている。
【００２２】
第１のカバー部１０は、ピン碍子Ａの外周を覆うための筒状部１１であって、第２のカバー部２０のスリット２１を延長した切欠き１６が形成された筒状部１１を含む本体１７と、溝に嵌合される凸部１４であって、筒状部１１の中心線を通る仮想基準面１００を境とした第１の領域１０１にある筒状部１１の内面の一部から径内方向に向けて突設される凸部１４と、筒状部１１の中心線を通る仮想基準面１００を境とした第２の領域１０２にある筒状部１１から外方に向けて延出する延出部１５とを有する。
【００２３】
筒状部１１は、円筒形に形成され、ピン碍子Ａの径に合わせた内径をもつ。また、筒状部１１は、ピン碍子Ａの外周に形成される溝の下端から天面までの長さよりも長い軸心方向長さで形成されている。これにより、筒状部１１は、開口する軸心方向一端からピン碍子Ａの頭部に嵌め合わされることで、ピン碍子Ａの溝の下端よりも上部の外周を覆うことが可能になっている。また、筒状部１１は、第２のカバー部２０のスリット２１を延長した切欠き１６により、開口する軸心方向一端まで切欠けられている。これにより、筒状部１１は、開口する軸心方向一端からピン碍子Ａの上部に嵌め込まれ得るとともに、バインド線Ｄによりピン碍子Ａに固定されたケーブルＥを切欠き１６から内装することが可能になっている。本実施形態において、筒状部１１は、開口する軸心方向一端部にフランジ部１３を有し、該フランジ部１３は、溝の下端から下部のピン碍子Ａの径に合わせ、ピン碍子Ａの溝の下端よりも下部にある外周に嵌め込まれ得る。
【００２４】
本体１７はさらに、筒状部１１の一端でピン碍子Ａの天面を覆うための天板部１２を含む。
【００２５】
天板部１２は、筒状部１１の軸方向他端を閉塞して形成される。本実施形態において、天板部１２は、板状に形成され、内面をピン碍子Ａの天面に対向させて、天面を覆うことが可能になっている。
【００２６】
凸部１４は、ピン碍子Ａの溝の深さに対応する長さで筒状部１１の中心線を通る仮想基準面１００を境とした第１の領域１０１の内面から突設される。これにより、凸部１４は、筒状部１１をピン碍子Ａの天面から嵌め込むことで、ピン碍子Ａの溝に嵌る。本実施形態において、凸部１４は、ケーブルＥが部分的に固定されたピン碍子Ａの溝に対して真逆の位置となる溝に嵌合する位置に形成される。
【００２７】
延出部１５は、板状に形成され、第１のカバー部１０のから下方に延出する。より具体的には、延出部１５は、筒状部１１の中心線を通る仮想基準面１００を境とした第２の領域１０２から下方に延出して形成される。また、延出部１５は、筒状部１１の径に対して板面を交差させるように形成される。延出部１５は、図３に示すように、間接活線工具Ｃで把持可能な大きさで形成され、関節活線工具により把持されて引っ張られることで、ケーブルＥ及びバインド線Ｄに第２のカバー部２０を押し付けることが可能になっている。
【００２８】
本実施形態において、延出部１５は、図３に示すように、第１のカバー部１０（筒状部１１）の径外方向に折り曲げ可能に構成されている。これにより、第１のカバー部１０がピン碍子Ａの上部に嵌め込まれるにつれて、延出部１５は、第１のカバー部１０の外周に近づくが、延出部１５が折り曲げられることで、延出部１５の先端が第１のカバー部１０の外周から離れる方向（作業員の位置に向ける方向）に向くので、間接活線工具Ｃがピン碍子Ａの外周に触れず、作業性の向上を図ることができる。
【００２９】
第２のカバー部２０は、円筒状に形成され、バインド線Ｄを巻き付けられたケーブルＥを内装するのに十分な軸方向長さで形成されている。そして、第２のカバー部２０は、軸方向に所定の間隔で配置される蛇腹部（採番しない）を有しており、蛇腹部の位置で折り曲げられることで、所定の方向に曲げられ得る。そして、第２のカバー部２０には、軸方向に延びるスリット２１が形成され、該スリット２１は、軸心から下方に向けて伸ばした線と交差する位置に形成される。
【００３０】
一対のガイド片３０，３０は、第２のカバー部２０の軸方向に沿って所定の間隔で複数個配置される。そして、一対のガイド片３０，３０のそれぞれは、相手側のガイド片３０との間でケーブルＥ上に載置可能な突出方向長さ及び角度で第２のカバー部２０から突出する。これにより、一対のガイド片３０，３０は、それぞれの配置されている位置で、ケーブルＥ上に第２のカバー部２０を位置させることが可能になっている。
【００３１】
本実施形態に係るピン碍子カバー１の構成については以上の通りであり、次に、本実施形態に係るピン碍子カバー１の作用について説明する。
【００３２】
ケーブルＥは、電柱上の腕金Ｂに取り付けられたピン碍子Ａの溝に部分的に嵌め込まれ、バインド線Ｄによってピン碍子Ａに固定されている。これにより、ケーブルＥは、ピン碍子Ａの中心線に対して交差してピン碍子Ａに支持されている。
【００３３】
ピン碍子カバー１は、間接活線工具Ｃにより延出部１５を把持され、ケーブルＥを支持しているピン碍子Ａの上方からピン碍子Ａに載せられる。このとき、図３に示すように、第１のカバー部１０は、軸方向一端側の開口からピン碍子Ａの上部に被せられ、第２のカバー部２０は、一対のガイド片３０の間にケーブルＥを介入することでケーブルＥ上に載せられる。そして、第１のカバー部１０の凸部１４は、ピン碍子Ａの溝のうち、ケーブルＥに固定されている溝の位置とは逆側の溝の位置に嵌め込まれる。
【００３４】
このようにピン碍子Ａに対して凸部１４を溝に嵌め込んだ状態で、間接活線工具Ｃにより延出部１５が下方に向けて引っ張られると、凸部１４は、ピン碍子Ａの溝に嵌め込まれた状態のまま、ピン碍子Ａの表面に対して摺動する。すると、一対のガイド片３０のそれぞれは、ケーブルＥの表面に向けて押し付けられる。一対のガイド片３０のそれぞれがケーブルＥの表面に向けて押し付けられることで、一対のガイド片３０のそれぞれは、ケーブルＥの周に沿って、相手側のガイド片３０から離間するように動く。このとき、延出部１５は、間接活線工具Ｃの引っ張り方向に向けて折れ曲がる。
【００３５】
一対のガイド片３０がこのように動くことで、第２のカバー部２０のスリット２１は、一対のガイド片３０のそれぞれにより開かれる。そして、一対のガイド片３０のそれぞれによりスリット２１が十分に開かれることで、第２のカバー部２０は、ケーブルＥを内装可能になる。一対のガイド片３０がケーブルＥに対して押し付けられているので、第１のカバー部１０（ピン碍子Ａ）に近い位置のケーブルＥが、第２のカバー部２０に内装される。また、ケーブルＥは、第１のカバー部１０の切欠き１６から、第１のカバー部１０に内装される。そして、図４に示すように、第２のカバー部２０が、その延出方向に沿って順にケーブルＥを内装することで、第２のカバー部２０は、ケーブルＥ及びバインド線Ｄを覆う。
【００３６】
第２のカバー部２０がケーブルＥ及びバインド線Ｄを内装すると、第１のカバー部１０は、ピン碍子Ａの上部に嵌め込まれる。具体的には、天板部１２の板面方向が、ピン碍子Ａの天面に沿う方向に向く。これにより、ピン碍子カバー１は、ピン碍子Ａ、ケーブルＥ、及びバインド線Ｄを覆う。
【００３７】
以上より、本実施形態に係るピン碍子カバー１に関し、電柱上に取り付けられたピン碍子Ａであって、外周に溝を有するピン碍子Ａと、該ピン碍子Ａの溝に部分的にはめ込まれるケーブルＥと、前記溝に引っ掛けられて該ケーブルＥに巻き回されることで該ケーブルＥをピン碍子Ａに固定するバインド線Ｄとを覆うピン碍子カバー１であって、ピン碍子Ａの上部を覆うための第１のカバー部１０と、該第１のカバー部１０から延出した一対の第２のカバー部２０であって、延出方向に延びるスリット２１が形成され、ケーブルＥ及びバインド線Ｄを覆うための第２のカバー部２０と、該第２のカバー部２０のスリット２１の両側に設けられた一対のガイド片３０であって、それぞれが第２のカバー部２０から径外方向に延出し、外方に向かうにつれて互いの間隔が広がるように設けられた一対のガイド片３０とを備え、第１のカバー部１０は、ピン碍子Ａの上部外周を覆うための筒状部１１であって、第２のカバー部２０のスリット２１を延長した切欠き１６が形成された筒状部１１と、該筒状部１１の一端でピン碍子Ａの天面を覆うための天板部１２と、溝に嵌合される凸部１４であって、筒状部１１の中心線を通る仮想基準面１００を境とした第１の領域１０１にある筒状部１１の内面の一部から径内方向に向けて突設される凸部１４と、筒状部１１の中心線を通る仮想基準面１００を境とした第２の領域１０２にある筒状部１１の外方に向けて延出する延出部１５とを有する。
【００３８】
かかる構成によれば、ピン碍子カバー１は、バインド線ＤによりケーブルＥを固定したピン碍子Ａの上に間接活線工具Ｃにより載せられる。これにより、筒状部１１は、開口する一端側からピン碍子Ａの外周を覆うようにピン碍子Ａに嵌め合わされる。すると、筒状部１１の中心線を通る仮想基準面１００を境とした第１の領域１０１の内面から突設された凸部１４がピン碍子Ａの溝部に嵌り、一対のガイド片３０がケーブルＥ及びバインド線Ｄを跨ぐようにして載る。そして、筒状部１１の中心線を通る仮想基準面１００を境とした第２の領域１０２から延出する延出部１５が間接活線工具Ｃで把持されて下方に引っ張られることで、凸部１４は、ピン碍子Ａの溝に嵌め合わされたままピン碍子Ａの表面に対して摺動する。また、一対のガイド片３０は、ケーブルＥ又はバインド線Ｄに対してそれぞれ摺動することで互いに離間し、スリット２１は、一対のガイド片３０の離間に応じて開く。そして、スリット２１がケーブルＥの直径に対してケーブルＥを通すのに十分に開くと、第２のカバー部２０は、ケーブルＥ及びバインド線Ｄを内装するように移動して、ケーブルＥ及びバインド線Ｄを覆う。第２のカバー部２０がケーブルＥ及びバインド線Ｄを覆うと、本体１７は、ピン碍子Ａの天面を覆う。これにより、ピン碍子カバー１は、ピン碍子Ａに載せられた後、延出部１５の引っ張りだけでピン碍子Ａ、ケーブルＥ、及びバインド線Ｄを覆うことができるので、ピン碍子カバー１をピン碍子Ａ、ケーブルＥ、及びバインド線Ｄに装着する作業の作業性の向上を図ることができる。
【００３９】
また、本実施形態のピン碍子カバー１の一態様として、延出部１５は、第１のカバー部１０の外周から下方に延出し、第１のカバー部１０の径外方向に折り曲げ可能に構成されていてもよい。
【００４０】
かかる構成によれば、延出部１５が間接活線工具Ｃにより把持されて引っ張られる際に、延出部１５は、第１のカバー部１０の径外方向に折り曲げられることで作業員の位置に先端を向けるように折り曲げられる。これにより、ピン碍子カバー１は、延出部１５を把持した間接活線工具Ｃを単に引っ張るだけでピン碍子Ａ、ケーブルＥ、及びバインド線Ｄを覆うことができるので、ピン碍子カバー１をピン碍子Ａ、ケーブルＥ、及びバインド線Ｄに装着する作業の作業性の向上を図ることができる。
【００４１】
なお、本発明に係るピン碍子カバーは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４２】
例えば、上記実施形態に係るピン碍子カバー１は、図５に示すように、クリップ４０により第２のカバー部２０がケーブルＥに留められる構成であってもよい。クリップ４０は、スリットが形成されている円形部４１であって、第２のカバー部２０の外径に合わせて内径の形成される円形部４１と、該円形部４１のスリットの両側に設けられた一対の突片４２であって、それぞれが円形部４１から径外方向に延出し、外方に向かうにつれて互いの間隔が広がるように設けられた一対の突片４２を有する。このような構成により、一対の突片４２は、ケーブルＥ及びバインド線Ｄを覆った第２のカバー部２０に押し当てられることで、互いに離間する方向に移動される。これにより、円形部４１は、スリットを開かれることで、第２のカバー部２０の外周に取付可能となる。円形部４１が第２のカバー部２０の外周に取り付けられることで、円形部４１は、第２のカバー部２０をケーブルＥ及びバインド線Ｄから外れないようにすることができる。
【００４３】
また、上記実施形態に係るピン碍子カバー１において、筒状部１１は、円筒形であるとしたが、これに限定されない。例えば、筒状部１１は、方筒状等、筒状であれば種々の形状とすることができる。
【００４４】
また、上記実施形態に係るピン碍子カバー１において、第２のカバー部２０は、延出方向に所定の間隔を空けて設けられた蛇腹を有するとしたが、第２のカバー部２０を可撓性のある材料で形成することで、蛇腹を設けずともよい。
【００４５】
また、上記実施形態に係るピン碍子カバー１において、ケーブルの架設方向に複数のピン碍子（例えば２つ）が並んで配置されるような場合、第２のカバー部を延出方向に対して交差する方向に適宜切断し、２つのピン碍子カバー１を並べるようにしてもよい。これにより、並設されるピン碍子のそれぞれを第１のカバー部１０で覆うことができる。
【００４６】
また、上記実施形態に係るピン碍子カバー１において、ケーブルＥは、架線であり、架設された通信ケーブルや、送電ケーブル等の種々のケーブルであってよい。
【符号の説明】
【００４７】
１      ピン碍子カバー
１０    第１のカバー部
１１    筒状部
１２    天板部
１３    フランジ部
１４    凸部
２０    第２のカバー部
２１    スリット
３０    ガイド片
４０    クリップ
４１    円形部
４２    突片
Ａ      ピン碍子
Ｂ      腕金
Ｃ      間接活線工具
Ｄ      バインド線
Ｅ      ケーブル
【図１】
0005893661.tif 000002
【図２】
0005893661.tif 000003
【図３】
0005893661.tif 000004
【図４】
0005893661.tif 000005
【図５】
0005893661.tif 000006